(57)【要約】熱や光などにより引き起こされる飲食品や化粧品等の香味、香気の劣化、特にシトラールに由来する劣化臭の生成に対し、従来技術よりもさらに効果の高い劣化抑制剤を提供する。茶抽出液成分を酸化酵素で処理することによって得られる生成物を有効成分とする食品の香味劣化抑制素材である。本発明による劣化抑制素材は、飲食品や化粧品等に添加することにより、従来の劣化抑制剤よりも少ない添加量で香味・香気の劣化を抑制する。特にシトラールに由来する劣化臭成分であるｐ−クレゾール、ｐ−メチルアセトフェノンの生成抑制に対しては顕著な効果を奏し、シトラールを含むシトラス調香味・香気を有する飲食品、化粧品等に好適である。【特許請求の範囲】
【請求項１】
茶類抽出液成分を酸化酵素で処理することによって得られる生成物を有効成分とする香味又は香気の劣化抑制剤。
【請求項２】
茶類抽出液成分が茶（カメリア シネンシス）の葉、茎、芽から水、極性有機溶媒又はこれらの混合物で抽出された各種溶解成分である請求項１記載の香味又は香気の劣化抑制剤。
【請求項３】
茶類が不発酵茶、発酵茶、半発酵茶及び後発酵茶の茶葉、茎及び芽である請求項１又は２記載の香味又は香気の劣化抑制剤。
【請求項４】
酸化酵素がポリフェノールオキシダーゼである請求項１〜３のいずれかの項に記載の香味又は香気の劣化抑制剤。
【請求項５】
香味又は香気がシトラス調である請求項１〜４のいずれかの項に記載の香味又は香気の劣化抑制剤。
【請求項６】
香味又は香気がシトラールに基づくものである請求項１〜５のいずれかの項に記載の香味又は香気の劣化抑制剤。
【請求項７】
請求項１〜６のいずれかの項に記載の香味又は香気の劣化抑制剤を含有することを特徴とする香料。
【請求項８】
請求項１〜６のいずれかの項に記載の香味又は香気の劣化抑制剤を含有することを特徴とする経口組成物。
【請求項９】
請求項７記載の香料を含有することを特徴とする経口組成物。
【請求項１０】
請求項１〜６のいずれかの項に記載の香味又は香気の劣化抑制剤を含有することを特徴とする香粧品。
【請求項１１】
請求項７記載の香料を含有することを特徴とする香粧品。
【請求項１２】
請求項１〜６のいずれかの項に記載の香味又は香気の劣化抑制剤を添加することによる香料、経口組成物又は香粧品の香味又は香気の劣化抑制方法。
【請求項１３】
香味又は香気がシトラス調である請求項１２記載の香味又は香気の劣化抑制方法。
【請求項１４】
香味又は香気がシトラールに基づくものである請求項１２又は１３記載の香味又は香気の劣化抑制方法。
【請求項１５】
熱又は光による劣化臭の生成を抑制することを特徴とする請求項１４記載の香味又は香気の劣化抑制方法。
【請求項１６】
劣化臭がｐ−クレゾール又はｐ−メチルアセトフェノンによる劣化臭である請求項１５記載の香味又は香気の劣化抑制方法。
【発明の詳細な説明】
【技術分野】
【０００１】
本発明は、日常生活において人が口に入れるもの、例えば飲料や食品あるいは歯磨き剤、口臭防止剤のような口腔衛生剤あるいは経口的に服用する医薬品（以下併せて「経口組成物」と称する）、香料、香粧品等に広く適用することができる香味又は香気の劣化抑制剤および香味又は香気劣化抑制方法に関するものである。
【背景技術】
【０００２】
一般に飲料や食品等の味と香気は食欲の増進や減退に大きく影響するため、その香味は各種栄養成分と同様に食生活において重要な要素と考えられる。また、化粧品や石けん、シャンプー等のトイレタリー製品に付された香気はその基材臭をマスクすると共に、使用者や周囲の人に快い感覚を与え、化粧品等における重要な要素となっている。
しかしながら、飲食品、化粧品等の香味、香気成分は不安定なものが多く、酸素、光、熱等により徐々に劣化し、製造、流通、保存等の各段階で本来の香味、香気の消失、もしくは異味異臭（劣化臭）が発生することもよく知られている。【０００３】
シトラールは、レモン様香気、香味を有し、飲食品や化粧品等の製品にシトラス感、フレッシュ感を付与する重要な成分である。酸性条件下ではシトラールは環化、酸化、水和、異性化等の反応を起こし、種々のオフフレーバー成分を生成することが知られている〔Peter Schieberle and Werner Grosch; J. Agric. Food Chem., Vol.36, 797-800(1988)〕。
オフフレーバー成分の中でもｐ−メチルアセトフェノン及びｐ−クレゾールは特に強い劣化臭を有しており、製品の著しい品質低下を招く。【０００４】
従来、こうした香味、香気の劣化を抑制するために、アスコルビン酸等各種の酸化防止剤や光劣化防止剤の添加が提唱されている（非特許文献１参照）。
シトラールの劣化抑制に関してはロズマリン酸、シソ、ペパーミントといった植物抽出物等を添加する方法が開示されている（特許文献１〜１１参照）。
また、カテキン類やテアフラビン類等茶起源の成分を添加することによるシトラールの劣化抑制方法についても報告されている（特許文献１２〜１４参照）。【０００５】
しかしながら、飲食品や化粧品等の香味、香気の劣化は、香味、香気成分自身が酸素、光、熱等により変化することに加え、飲食品や化粧品等に含まれる油脂、たんぱく質、糖類、アミノ酸類、有機酸類等の各成分の酸化、分解、異性化、重合等の数多くの反応も関与する複合的な要因により引き起こされるものである。このため上記従来技術を用いても、なお劣化の抑制効果が不十分な場合があり、さらに効果の高い劣化抑制技術が求められていた。
【非特許文献１】「特許庁公報 周知・慣用技術集（香料）第１部」１９９９年１月２９日 ｐ１４１〜１４７
【特許文献１】特表２００２−５０７８８７号公報
【特許文献２】特開平１１−１３７２２４号公報
【特許文献３】特開平１１−１６９１４８号公報
【特許文献４】特開２００１−３４６５５８号公報
【特許文献５】特開２００２−２４４号公報
【特許文献６】特開２００２−１８００８１号公報
【特許文献７】特開２００２−２５５７７８号公報
【特許文献８】特開２００２−３３０７４１号公報
【特許文献９】特開２００２−３３８９９０号公報
【特許文献１０】特開２００３−８２３８４号公報
【特許文献１１】特開２００３−７９３３５号公報
【特許文献１２】特開２００３−９６４８６号公報
【特許文献１３】特開平９−２２７４５６号公報
【特許文献１４】特開２００５−１７１１１６号公報
【発明の開示】
【発明が解決しようとする課題】
【０００６】
本発明が解決しようとする課題は、複雑な要因により引き起こされる飲食品や化粧品等の香味、香気の劣化に対し、従来技術よりもさらに効果の高い劣化抑制剤を提供することである。
【課題を解決するための手段】
【０００７】
本発明者らは、加熱によるシトラールの劣化とその抑制方法について詳細に検討した結果、茶類抽出液成分を酸化酵素で処理することによって得られる生成物がシトラール由来の非常に強い劣化臭原因物質であるｐ−クレゾール及びｐ−メチルアセトフェノンの生成抑制に顕著な効果を示すことを見出した。【０００８】
すなわち、本発明は、茶類抽出液成分を酸化酵素で処理することによって得られる生成物を有効成分とする香味又は香気の劣化抑制剤である。そして、茶類抽出液成分が茶（カメリア シネンシス）の葉、茎、芽から水、極性有機溶媒又はこれらの混合物で抽出された各種溶解成分であること、茶類が不発酵茶、発酵茶、半発酵茶及び後発酵茶の茶葉、茎及び芽であること、酸化酵素がポリフェノールオキシダーゼであること、香味又は香気がシトラス調であること、そして香味又は香気がシトラールに基づくものであることを特徴とする香味又は香気の劣化抑制剤である。
また、本発明は、上記香味又は香気の劣化抑制剤を含有する香料、経口組成物、香粧品である。
さらに、本発明は、上記香味又は香気の劣化抑制剤を添加することによる香料、経口組成物又は香粧品の香味又は香気の劣化抑制方法である。
【発明の効果】
【０００９】
本発明の劣化抑制剤を香料や飲食品等に添加することにより、熱や光による香味、香気の劣化を抑制することができる。特にシトラールの劣化に対しては顕著な効果を有し、シトラールに由来する劣化臭原因物質であるｐ−クレゾール及びｐ−メチルアセトフェノンの生成を抑制し、シトラス調のフレッシュな香味、香気を維持できる。
また、天然物由来の食品用途向け香味・香気劣化抑制剤として現在使用されているポリフェノール主体の抗酸化物質と比べてポリフェノール含有量が低量なので、最終製品の風味に及ぼす影響が少なく、苦渋味を軽減できる。さらに、沈殿や着色の軽減もできる。
【図面の簡単な説明】
【００１０】
【図１】抽出例１における茶抽出液酸化酵素処理物の紫外線吸収スペクトル。
【図２】抽出例２における紅茶抽出物の紫外線吸収スペクトル。
【図３】抽出例１における茶抽出液酸化酵素処理物のサイズ排除クロマトグラム。横軸は保持時間。縦軸は分子量。
【図４】抽出例２における紅茶抽出物のサイズ排除クロマトグラム。横軸は保持時間。縦軸は分子量。
【図５】標準液の軟性曲線データ。横軸は保持時間。縦軸は分子量の対数値。
【発明を実施するための最良の形態】
【００１１】
以下、本発明をさらに詳細に説明する。
（１）原材料
本発明に使用する茶抽出液成分は、ツバキ科の常緑樹である茶（カメリア シメンシス；Camellia sinensis）の葉、茎、芽に対して、水又は極性有機溶媒を用いて抽出することによって得ることが出来る。
茶は品種、産地を問わず使用することができ、生茶葉又は飲料用として前処理を施した茶葉（不発酵茶、半発酵茶、発酵茶、後発酵茶）のいずれも利用してもよい。
また、抽出に用いる有機溶媒は含水物であっても良く、極性有機溶媒としては、アルコール、アセトン、酢酸エチル等が挙げられる。中でも人体への安全性と取扱易さの点から水またはエタノール、プロパノール、ブタノールのような炭素数２〜４の脂肪族アルコールが好ましく、特に水又はエタノール又はこれらの混合物（１〜９５％のエタノール水溶液）が望ましい。抽出に用いる溶媒の量は任意に選択できるが、一般には上記原材料１重量部に対し溶媒量２〜２００重量部を使用する。【００１２】
（２）抽出方法
抽出方法としては、溶媒の種類、量等により種々の方法を採用することができる。例えば前記原材料を溶媒中に入れ、浸漬法又は加熱還流法で抽出することができる。なお浸漬法による場合は加熱条件下、室温又は冷却条件下のいずれであってもよい。
また抽出成分の収率の向上や抽出後の分離精製工程を効率よく行うために、抽出中、もしくは抽出後の溶液に対してペクチナーゼ、セルラーゼ、タンナーゼなどの加水分解酵素を用いてもよい。
次いで、溶媒に不溶な残渣を除去して抽出液を得るが、残渣除去方法としては遠心分離、濾過、圧搾等の各種固液分離手段を用いることができる。【００１３】
（３）酸化酵素処理
本発明に適用する酸化酵素としてポリフェノールオキシダーゼやペルオキシダーゼなどを挙げることができ、ポリフェノールオキシダーゼの利用が好適である。
具体的には、ラッカーゼ（EC 1.10.3.2）、カテコラーゼ(EC 1.10.3.1)、チロシナーゼ（EC1.14.18.1）などが挙げられ、これらをそれぞれ単独で又は２種以上を併用することができる。これらの酵素の由来については特に制限は無く、例えば茶類をはじめとする各種植物由来、動物由来、細菌由来のものが挙げることができる。
これらの中で、特にラッカーゼは産業用酵素としての汎用性、実績もあり、その酸化能も高いため好ましく使用できる。例えば市販されている「ラッカーゼ ダイワ Ｙ１２０（商品名）」（大和化成株式会社製）や「Denilite II S（商品名）」（ノボザイムズ ジャパン株式会社製）など使用することができる。また、酵素は必ずしも精製する必要はなく、粗酵素の状態でも使用できる。
酵素の使用量に関しては、使用する酵素量を、有効な酵素タンパク質の量で換算した場合、茶抽出液中の固形分１００ｇに対して０.００１〜５ｇであり、好ましくは０.０１〜０.５ｇである。
酵素処理における反応温度は約０〜９０℃、好ましくは約２５〜７５℃の範囲で、反応時間は約５分〜４８時間、好ましくは約１０分〜６時間作用させる方法を例示することができる。
また、酵素処理後は、５０％以上エタノール水溶液中で３０分間以上、加熱還流して酵素を失活処理することが好ましい。【００１４】
（４）精製処理
上記酸化酵素処理液は、さらに脱色、脱臭等の精製処理を施すなどして利用することも可能である。精製処理には活性炭、アルミナ、シリカゲルや多孔性のスチレン−ジビニルベンゼン共重合体からなる合成樹脂吸着剤、メタクリル酸エステル系多孔性重合樹脂、ゲル型合成吸着剤などが使用できる。
精製用の合成樹脂吸着剤としては、例えば三菱化学株式会社製「ダイヤイオンＨＰ−２０（商品名）」、「ダイヤイオンＳＰ−７０(商品名)」やオルガノ株式会社製「アンバーライトＸＡＤ−２（商品名）」、アマシャム ファルマシア バイオテク株式会社製「セファデックスＬＨ−２０(商品名)」などが使用できる。また、以上の群から選ばれる１種または２種以上の処理を組み合わせてもよい。【００１５】
（５）製剤化
上記酸化酵素処理液もしくはその精製物は、そのまま劣化抑制剤として飲食品等に配合できるが、以下のように調製して使用することもできる。
例えば、水、アルコール、グリセリン、プロピレングリコール等の（混合）溶剤に適当な濃度で溶解させて（具体的には、水／エタノール、水／エタノール／グリセリン、水／グリセリン等の混合溶剤）液剤とする。またはデキストリン、シュークロース、ペクチン、キチン等を加えることもでき、これらをさらに濃縮してペースト状とすることもできる。
また、各溶液に賦形剤（デキストリン等）を添加し噴霧乾燥によりパウダー状にすることも可能である。さらに上記液剤を乳化剤とともに油脂等に添加して分散させることにより、油溶性の液剤とすることもでき、用途に応じて種々の剤形を採用することができる。【００１６】
本発明の劣化抑制剤は香料、経口組成物、香粧品等の製造過程で適宜添加することができる。
添加量については、添加対象の種類により異なるが、香料、経口組成物、香粧品等に対し、固形分換算で０.００１〜１００ｐｐｍの添加量が適当である。対象製品が経口組成物の場合には、本来の香味にほとんど影響を及ぼさせないという観点からは０.０１〜３０ｐｐｍ、特に０.１〜１０ｐｐｍが好ましい。【００１７】
また、香味劣化抑制効果を高めるのを目的として、本発明の劣化抑制剤と遷移金属イオンを併用して用いることもでき、特に人体への安全性の観点から鉄イオンが好ましい。鉄イオンの供給源としては特に制限はなく、金属鉄、鉄塩類、ヘム鉄等を使用することができる。具体的には塩化鉄、クエン酸鉄、グルコン酸鉄、乳酸鉄、ピロリン酸鉄、硫酸鉄、ヘム鉄等を挙げることができる。
また、劣化抑制力を高めるため本発明の劣化抑制剤と一般に使用されているＬ−アスコルビン酸、酵素処理ルチン、エンジュ抽出物、ぶどう種子抽出物、ローズマリー抽出物、緑茶抽出物等の酸化防止剤を適宜配合し、さらに金属と基質との反応により生じる着色などを防止するためクエン酸、グルコン酸、酒石酸、フィチン酸、ピロリン酸、ポリリン酸等の金属封鎖剤と混合することも可能である。【００１８】
本発明において香味とは、飲食品等の経口組成物の嗅覚で感じる香りと、口腔から鼻腔に抜けた部分で感じる風味を合わせたものをいう。香味には飲食品等の経口組成物が本来有している香味と、香料を添加することにより経口組成物に付与された香味の両方を含む。香気とは香粧品等に香料を添加することにより付された、主に嗅覚で感じる香りをいう。【００１９】
本発明の劣化抑制剤は種々の香味・香気の劣化に有効であるが、好ましくはシトラス調の香味・香気の劣化に対して有効である。
特にシトラールに基づく香味・香気の劣化に対しては有効で、シトラール由来の非常に強い劣化臭原因物質であるｐ−メチルアセトフェノン（桂皮臭）及びｐ−クレゾール（薬品臭）の生成抑制に顕著な効果を有する。【００２０】
本発明の劣化抑制剤は経口組成物、香料、香粧品等に特に制限なく使用できるが、具体例としては下記のものが挙げられる。
経口組成物の例としては、飲料、菓子類、油脂及び油脂加工食品、乳、乳製品、口腔衛生剤などが挙げられるが、より具体的には下記のものを挙げることができる。
飲料の例としては、コーヒー、紅茶、清涼飲料、乳酸菌飲料、無果汁飲料、果汁入り飲料、栄養ドリンクなどが挙げられ、特にシトラス系の炭酸飲料、果汁、果汁飲料、乳性飲料、茶飲料等に好適である。
菓子類の例としては、ゼリー、プリン、ババロア、キャンディー、ビスケット、クッキー、チョコレート、ケーキ類などが挙げられ、特にシトラール含有のヨーグルト、ゼリー、アイスクリーム等の冷菓、キャンディー、水飴、ガム等に好適である。【００２１】
油脂及び油脂加工食品の例としては、食用油脂（動物性油脂、植物性油脂）、マーガリン、ショートニング、マヨネーズ、ドレッシング、ハードバターなど、さらに、即席（フライ）麺類、とうふの油揚（油揚、生揚、がんもどき）、揚かまぼこ、てんぷら、フライ、スナック類（ポテトチップス、揚あられ類、かりんとう、ドーナッツ）、調理冷凍食品（冷凍コロッケ、エビフライ等）などが挙げられる。
乳、乳製品等の例としては、乳として生乳、牛乳、加工乳等、乳製品としてクリーム、バター、バターオイル、濃縮ホエー、チーズ、アイスクリーム類、ヨーグルト、練乳、粉乳、濃縮乳等などが挙げられる。【００２２】
口腔衛生剤の例としては、歯磨、うがい薬、口中清涼剤、口臭防止剤などが挙げられる。
香料の例としては、香料原料（精油、エッセンス、コンクリート、アブソリュート、エキストラクト、オレオレジン、レジノイド、回収フレーバー、炭酸ガス抽出物、合成香料）およびそれらを含有する香料組成物などが挙げられ、特にシトラールを含有するシトラス系香料に好適である。
香粧品の例としては、香水、化粧品、洗剤、石鹸、シャンプー、リンス、入浴剤、芳香剤等が挙げられ、特にシトラールを含有するシトラス調の香りを有する香粧品に好適である。（「特許庁公報 周知慣用技術集（香料）」参照）【００２３】
以下に実施例を挙げて本発明を具体的に説明するが、本発明は実施例の記載に限定されるものではない。
【実施例】
【００２４】
〔抽出例１〕
乾燥した緑茶葉１００ｇに、水を２０００ｇ加え１時間加熱還流した。不溶物を濾過により除去した後、濾液（固形分量は１.５〜２.５％）に対してラッカーゼ（大和化成株式会社製「ラッカーゼ ダイワ Ｙ１２０（商品名）」）を０.０４ｇ添加し、５５℃で４時間反応させた。
この酵素処理溶液を濃縮した後、９５％エタノール溶液を３００ｇ添加し３０分間、加熱還流し、酵素失活処理を行った。
溶液を−１５℃で冷却後、不溶物を濾過により除去した後、減圧濃縮、凍結乾燥を行い、濃暗褐色の粉末１６.９ｇ（以下「茶抽出液酸化酵素処理物」と呼ぶ）を得た。【００２５】
この抽出物の物性は以下のとおりである。
ａ）紫外線吸収スペクトルを図１に示す（測定濃度：１０ｐｐｍ、希釈溶剤：７０％エタノール溶液）。
λmax：２０３ｎｍ、２６７ｎｍ
ｂ）溶解性：水に可溶、５０〜７０％エタノールに易溶、エタノールに不溶【００２６】
〔抽出例２〕
紅茶葉５０ｇに５０％エタノール水溶液５００ｇを加え、１時間加熱還流した。不溶物を濾過により除去した後、濾液を減圧濃縮、凍結乾燥し褐色の粉末（以下「紅茶抽出物」という）１５.１ｇを得た。【００２７】
この抽出物の物性は以下のとおりである。
ａ）紫外線吸収スペクトルを図２に示す（測定濃度：１０ｐｐｍ、希釈溶剤：７０％エタノール溶液）。
λmax：２０５ｎｍ、２７３ｎｍ
ｂ）溶解性：水に可溶、５０〜７０％エタノールに易溶、エタノールに不溶【００２８】
試験例および実施例において、香味・香気劣化抑制剤として現在使用されている抗酸化物質である以下の試薬、天然抽出物を使用した。
１）Ｌ−アスコルビン酸：
ナカライテスク(株)製のＬ（＋）−アスコルビン酸を使用した。
２）ルチン：
ナカライテスク(株)製の「α−GルチンP（商品名）」を使用した。
３）クロロゲン酸：
和光純薬(株)製のクロロゲン酸を使用した。
４）緑茶抽出物：
三井農林(株)製の「ポリフェノンKN（商品名）」を使用した。
５）ローズマリー抽出物：
三菱化学フーズ(株)製の「RMキーパーSF（商品名）」を使用した。
６）ブドウ種子抽出物：
キッコーマン(株)製の「グラヴィノール−F（商品名）」を使用した。【００２９】
〔試験例１〕
上記の「茶抽出液酸化酵素処理物」をレモン風味飲料に添加し、ｐ−クレゾール、ｐ−メチルアセトフェノンの生成抑制効果を検討した。
砂糖１００ｇ、クエン酸１ｇ、シトラールを含有するレモン香料１.５ｇ、及び本発明品１ｇを５０％エタノール水溶液１００ｇに溶解したものを１ｇ添加し、精製水で全量を１０００ｇに調整した。
同様に「Ｌ−アスコルビン酸」、「ルチン」、「クロロゲン酸」、「ローズマリー抽出物」、「ブドウ種子抽出物」、「緑茶抽出物」、及び抽出例２の「紅茶抽出物」の濃度をそれぞれ２ppmとなるように添加し、試料を調製した。この溶液を７０℃にて１０分間殺菌後、缶に充填しレモン風味飲料を作成した。
５０℃にて７日間、恒温槽中で保管した。各レモン風味飲料中のｐ−クレゾール及びｐ−メチルアセトフェノンの生成量を高速液体クロマトグラフィーにて測定した。
表１にそれぞれの試料のｐ−クレゾール、ｐ−メチルアセトフェノンの生成量を、無添加５０℃、７日間保管品でのｐ−クレゾール、ｐ−メチルアセトフェノンの生成量を１００として相対値で示した。【００３０】
〔試験例２〕
試験例１のレモン風味飲料について、習熟したパネル１０名にて官能評価した。対照レモン風味飲料として本発明の茶抽出液酸化酵素処理物あるいは酸化防止剤無添加の冷蔵保管品（評価点：１点に設定）と、本発明の茶抽出液酸化酵素処理物あるいは酸化防止剤無添加の５０℃、７日間保管品（評価点：５点に設定）を使用し、各レモン風味飲料の香味の劣化度を評価した。その結果を表１に示す。【００３１】
なお、表１の官能評価平均点は以下の基準で採点した各パネルの平均値である。
採点基準は、異味及び異臭（ｐ−クレゾール様（薬品臭）、ｐ−メチルアセトフェノン様（桂皮様））に関し以下の評価基準による。
非常に強く感じる：５点
強く感じる      ：４点
感じる          ：３点
若干感じる      ：２点
感じない        ：１点【００３２】
【表１】
2009011271.tif 000002
【００３３】
表１により、本発明の茶抽出液酸化酵素処理物をレモン風味飲料に添加することにより、Ｌ−アスコルビン酸、ルチン、クロロゲン酸、ローズマリー抽出物、ブドウ種子抽出物、緑茶抽出物、紅茶抽出物の添加品と比べ、ｐ−クレゾール及びｐ−メチルアセトフェノンの生成量が顕著に低下することがわかった。【００３４】
表１から明らかなように、茶抽出液酸化酵素処理物をレモン風味飲料に添加することにより、ｐ−クレゾール様及びｐ−メチルアセトフェノン様の劣化臭を抑制できた。抑制効果はＬ−アスコルビン酸、ルチン、クロロゲン酸、ブドウ種子抽出物、緑茶抽出物、紅茶抽出物よりも顕著に高かった。【００３５】
〔試験例３〕 分子量分布測定
抽出例１の「茶抽出液酸化酵素処理物」および抽出例２の「紅茶抽出物」について、サイズ排除クロマトグラフィーにて分子量分布測定を行った。
「茶抽出液酸化酵素処理物」および「紅茶抽出物」のクロマトグラムをそれぞれ図３および図４に示す。また、分子量分布の測定結果を表２に示す。
測定機器と測定条件は以下のとおりである。
機器：Waters 2690
カラム：Asahipak GS-320+620+220 (7.6mm i.d. ×10mm) ＋  (7.6mm i.d. × 500mm)× 2
溶離液：蒸留水＋0.05％アジ化ナトリウム
流速：1mL/min
検出器：RI (Refractive Index) 検出器、PDA (Photo Diode Array) 検出器
注入量：100μL
カラム温度：40℃
分子量分布は下記の標準溶液を用いて作成した軟性曲線（図５）から求めた。
標準液 1：プルラン水溶液（プルランMW 800000、100000、20000、6000、ブドウ糖の各0.01％混合溶液）  （Polymer Laboratories社製）
標準液 2：ポリエチレングリコール水溶液（PEG MW 10000、4000、2000、600、ブドウ糖の各0.01％混合溶液）  （Shodex社製）【００３６】
【表２】
2009011271.tif 000003
【００３７】
表２から、茶抽出液酸化酵素処理物は紅茶抽出物に比べ、分子量１００００以上の成分がかなり多く含まれていることがわかった。【００３８】
〔試験例４〕 総ポリフェノール含量の測定
本発明の茶抽出液酸化酵素処理物と既存の抗酸化素材の総ポリフェノール含量を、Folin-Denis法を用いて以下のとおり測定した。
この方法は、タンニン様化合物のフェノール性水酸基がアルカリ溶液中でモリブテン酸を還元することで生じる青色を比色定量するものである。
各試料を純水で５０ｐｐｍ、２５ｐｐｍ、１２.５ｐｐｍ、６.２５ｐｐｍになるように調整したものを１００μｌ用意し、そこに下記のFolin-Denis試薬を１００μｌずつ加えて２分間攪拌した後３分間室温にて静置した。次いで、１０％（W/V）炭酸水素ナトリウム溶液を１００μｌずつ加え、２分間攪拌してから暗所で１時間反応させた。さらに、マイクロプレートリーダーで６５５ｎｍの吸光度を測定し、タンニン酸を用いた検量線により各試料のポリフェノール濃度を算出した。【００３９】
Folin-Denis試薬の調製：  タングステン酸ナトリウム１００ｇ、リンモリブテン酸２０ｇ、リン酸５０ｍｌ、水７５０ｍｌを混合し、２時間、加熱還流し、放冷後、水を加え全量を１０００ｍｌとする。
結果を表３に示す。【００４０】
【表３】
2009011271.tif 000004
【００４１】
表１より、茶抽出液酸化酵素処理物はレモン風味飲料の劣化抑制に最も高い効果を示すことが明らかになったが、表３より、茶抽出液酸化酵素処理物中のポリフェノール含量は既存の抗酸化剤中のそれと比較すると、低いことがわかった。つまり、本発明の茶抽出液酸化酵素処理物は、既存の香味劣化抑制剤のようなポリフェノール主体の抗酸化作用とは異なるメカニズムによって香味又は香気の劣化抑制作用を発揮するものと推測される。【００４２】
〔試験例５〕  （１００％オレンジ飲料）
バレンシアオレンジ５倍濃縮果汁４０ｇに蒸留水１６０ｇを添加し混合した。これに抽出例１の茶抽出液酸化酵素処理物を２ｐｐｍとなるように添加し、ガラス容器に充填後、殺菌（７０℃、１０分間）し、１００％オレンジ飲料を作製した。得られた１００％オレンジ飲料は、習熟したパネルによる評価の結果、異味異臭がなく良好な風味であった。
同様に「Ｌ−アスコルビン酸」、「ルチン」、「クロロゲン酸」、「ローズマリー抽出物」、「ブドウ種子抽出物」、「緑茶抽出物」、及び抽出例２の「紅茶抽出物」の濃度をそれぞれ２ｐｐｍとなるように添加し、試料を調製した。
これらの試料を熱虐待のため５０℃にて７日間、恒温槽中で保管した。
熱虐待後、習熟したパネル１０名にて官能評価した。対照１００％オレンジ飲料として本発明の茶抽出液酸化酵素処理物あるいは酸化防止剤無添加の冷蔵保管品（評価点：１点に設定）と、本発明の茶抽出液酸化酵素処理物あるいは酸化防止剤無添加の５０℃、７日間保管品（評価点：５点に設定）を使用し、各１００％オレンジ飲料の香味の劣化度を評価した。その結果を表４に示す。【００４３】
なお、表４の官能評価平均点は以下の基準で採点した各パネルの平均値である。
採点基準は、異味及び異臭（イモ臭、スパイス臭）に関し以下の評価基準による。
非常に強く感じる：５点
強く感じる      ：４点
感じる          ：３点
若干感じる      ：２点
感じない        ：１点【００４４】
【表４】
2009011271.tif 000005
【００４５】
表４から明らかなように、茶抽出液酸化酵素処理物を１００％オレンジ飲料に添加することにより、イモ臭及びスパイス臭の劣化臭を抑制できた。抑制効果はＬ−アスコルビン酸、ルチン、クロロゲン酸、ローズマリー抽出物、ブドウ種子抽出物、緑茶抽出物、紅茶抽出物よりも顕著に高かった。【００４６】
〔試験例６〕  （殺菌乳酸菌飲料）
発酵乳原液（全固形分５４％、無脂乳固形分４％）２０ｇに蒸留水を加えて合計１００ｇとなるように希釈した。さらにレモン香料０．１ｇ及び抽出例１の茶抽出液酸化酵素処理物を２ｐｐｍとなるように添加し、ガラス容器に充填後、殺菌（７０℃、１０分間）し、殺菌乳酸菌飲料を作製した。こうして得られた殺菌乳酸菌飲料は、習熟したパネルによる評価の結果、異味異臭がなく良好な風味であった。
同様に「Ｌ−アスコルビン酸」、「ルチン」、「クロロゲン酸」、「ローズマリー抽出物」、「ブドウ種子抽出物」、「緑茶抽出物」、及び抽出例２の「紅茶抽出物」の濃度をそれぞれ２ｐｐｍとなるように添加し、試料を調製した。
これらの試料を光虐待のため１５０００ルクス、５℃、１２時間、光安定性試験器の中で光（蛍光灯）照射を行った後、習熟したパネル１０名にて官能評価した。対照試料として本発明の茶抽出液酸化酵素処理物あるいは酸化防止剤無添加の蛍光灯未照射品（評価点：１点に設定）と、本発明の茶抽出液酸化酵素処理物あるいは酸化防止剤無添加の１５０００ルクス、５℃、7日間蛍光灯照射品（評価点：５点に設定）を使用し、各殺菌乳酸菌飲料の香味の劣化度を評価した。その結果を表５に示す。【００４７】
なお、表５の官能評価平均点は以下の基準で採点した各パネルの平均値である。
採点基準は、異味及び異臭（漬物臭、金属臭）に関し以下の評価基準による。
非常に強く感じる：５点
強く感じる      ：４点
感じる          ：３点
若干感じる      ：２点
感じない        ：１点【００４８】
【表５】
2009011271.tif 000006
【００４９】
表５から明らかなように、茶抽出液酸化酵素処理物を殺菌乳酸菌飲料に添加することにより、漬物臭及び金属臭の劣化臭を抑制できた。抑制効果はＬ−アスコルビン酸、ルチン、クロロゲン酸、ローズマリー抽出物、ブドウ種子抽出物、緑茶抽出物、紅茶抽出物よりも顕著に高かった。【００５０】
〔試験例７〕  （ガム）
ガムベース５０ｇにハーブ香料０．５ｇと抽出例１の茶抽出液酸化酵素処理物を５ｐｐｍとなるように添加した後ニーダーを使用して練り、成型後完成させた。こうして得られたガムの風味は、習熟したパネルによる評価の結果、異味異臭を感じさせることのない良好なものであった。
同様に「Ｌ−アスコルビン酸」、「ルチン」、「クロロゲン酸」、「ローズマリー抽出物」、「ブドウ種子抽出物」、「緑茶抽出物」、及び抽出例２の「紅茶抽出物」の濃度をそれぞれ５ｐｐｍとなるように添加し、試料を調製した。
これらの試料を光虐待のため１５０００ルクス、５℃、7日間、光安定性試験器の中で光（蛍光灯）照射を行った後、習熟したパネル１０名にて官能評価した。対照試料として本発明の茶抽出液酸化酵素処理物あるいは酸化防止剤無添加の蛍光灯未照射品（評価点：１点に設定）と、本発明の茶抽出液酸化酵素処理物あるいは酸化防止剤無添加の５℃、１５０００ルクス、7日間蛍光灯照射品（評価点：５点に設定）を使用し、各試料の香味の劣化度を評価した。その結果を表６に示す。【００５１】
なお、表６の官能評価平均点は以下の基準で採点した各パネルの平均値である。
採点基準は、異味及び異臭（エグ味、ゴム臭）に関し以下の評価基準による。
非常に強く感じる：５点
強く感じる      ：４点
感じる          ：３点
若干感じる      ：２点
感じない        ：１点【００５２】
【表６】
2009011271.tif 000007
【００５３】
表６から明らかなように、茶抽出液酸化酵素処理物をガムに添加することにより、エグ味、ゴム臭の劣化臭を抑制できた。抑制効果はＬ−アスコルビン酸、ルチン、クロロゲン酸、ローズマリー抽出物、ブドウ種子抽出物、緑茶抽出物、紅茶抽出物よりも顕著に高かった。【００５４】
〔試験例８〕  （和風ドレッシング）
食酢１５０ｇ、果糖ブドウ糖液糖５０ｇ、食塩３０ｇ、グルタミン酸ナトリウム２ｇ、香辛料１ｇ、増粘剤２ｇ、乳化剤２ｇ、コーン油４００ｇ、水３６２ｇ、ユズ香料１ｇを混合し、攪拌均一化した。さらに抽出例１の茶抽出液酸化酵素処理物を２ｐｐｍとなるように添加し、ガラス容器に充填後、殺菌（７０℃、１０分間）し、和風ドレッシングを作製した。こうして得られた和風ドレッシングは、習熟したパネルによる評価の結果、本来の風味を損なうことがなく良好なものであった。
同様に「Ｌ−アスコルビン酸」、「ルチン」、「クロロゲン酸」、「ローズマリー抽出物」、「ブドウ種子抽出物」、「緑茶抽出物」、及び抽出例２の「紅茶抽出物」の濃度をそれぞれ２ｐｐｍとなるように添加し、試料を調製した。
これらを熱虐待のため３０℃にて１０日間、恒温槽中で保管した。
習熟したパネル１０名にて官能評価した。対照試料として本発明の茶抽出液酸化酵素処理物あるいは酸化防止剤無添加の冷蔵保管品（評価点：１点に設定）と、本発明の茶抽出液酸化酵素処理物あるいは酸化防止剤無添加の３０℃、１０日間保管品（評価点：５点に設定）を使用し、各和風ドレッシングの香味の劣化度を評価した。その結果を表７に示す。【００５５】
なお、表７の官能評価平均点は以下の基準で採点した各パネルの平均値である。
採点基準は、異味及び異臭（脂劣化臭（アルデヒド様）、金属臭）に関し以下の評価基準による。
非常に強く感じる：５点
強く感じる      ：４点
感じる          ：３点
若干感じる      ：２点
感じない        ：１点【００５６】
【表７】
2009011271.tif 000008
【００５７】
表７から明らかなように、茶抽出液酸化酵素処理物をドレッシングに添加することにより、アルデヒド様の脂劣化臭、金属臭の劣化臭を抑制できた。抑制効果はＬ−アスコルビン酸、ルチン、クロロゲン酸、ローズマリー抽出物、ブドウ種子抽出物、緑茶抽出物、紅茶抽出物よりも顕著に高かった。【００５８】
〔試験例９〕  （化粧水）
以下の処方量で配合し、常法にて化粧水を作製した。
１，３−ブチレングリコール                                  ６０．０ｇ
グリセリン                                                  ４０．０ｇ
オレイルアルコール                                            １．０ｇ
ＰＯＥ（２０）ソルビタンモノラウリン酸エステル                ５．０ｇ
ＰＯＥ（１５）ラウリルアルコールエーテル                      ５．０ｇ
９５％エタノール                                          １００．０ｇ
香料                                                          ２．０ｇ
メチルパラペン                                                １．０ｇ
クチナシ黄色素                                                ０．１ｇ
茶抽出液酸化酵素処理物の１重量％／７０重量％エタノール水溶液  ２．０ｇ
精製水                                                    ７８３．９ｇ
得られた化粧水は、習熟したパネルによる評価の結果、異臭もなく化粧水本来の香りが保持されていた。
同様に、上記処方中の本発明の茶抽出液酸化酵素処理物の代わりに「Ｌ−アスコルビン酸」、「ルチン」、「クロロゲン酸」、「ローズマリー抽出物」、「ブドウ種子抽出物」、「緑茶抽出物」、及び抽出例２の「紅茶抽出物」の濃度をそれぞれ２ｐｐｍとなるように添加し、各試料を調製した。
これらを熱虐待のため５０℃にて７日間、恒温槽中で保管した。
習熟したパネル１０名にて官能評価した。対照試料として本発明の茶抽出液酸化酵素処理物あるいは酸化防止剤無添加の冷蔵保管品（評価点：１点に設定）と、本発明の茶抽出液酸化酵素処理物あるいは酸化防止剤無添加の５０℃、７日間保管品（評価点：５点に設定）を使用し、各化粧水の香りの劣化度を評価した。その結果を表８に示す。【００５９】
なお、表８の官能評価平均点は以下の基準で採点した各パネルの平均値である。
採点基準は、異臭（薬品臭、金属臭）に関し以下の評価基準による。
非常に強く感じる：５点
強く感じる      ：４点
感じる          ：３点
若干感じる      ：２点
感じない        ：１点【００６０】
【表８】
2009011271.tif 000009
【００６１】
表８から明らかなように、茶抽出液酸化酵素処理物を化粧水に添加することにより、薬品臭、金属臭の劣化臭を抑制できた。抑制効果はＬ−アスコルビン酸、ルチン、クロロゲン酸、ローズマリー抽出物、ブドウ種子抽出物、緑茶抽出物、紅茶抽出物よりも顕著に高かった。【００６２】
〔実施例１〕  （バニラエキストラクト）
バニラビーンズ１０ｇにエタノール３５ｇと蒸留水６５ｇを添加し、室温暗所で４週間静置抽出した。この溶液をろ過することにより、９０ｇのバニラエキストラクトを得た。このエキストラクト９０ｇに茶抽出液酸化酵素処理物の１重量％／７０重量％エタノール水溶液１０ｇを添加し、本発明のバニラエキストラクトを完成させた。得られたバニラエキストラクトは、習熟したパネルによる評価の結果、異味異臭がなくバニラ本来の香味が保持されていた。【００６３】
〔実施例２〕  （キャンディー）
水飴１４１ｇ、グラニュー糖１８０ｇ、水６０ｇを混合した後、１５５℃まで加熱した。その後１２０℃まで冷却し、クエン酸６ｇ、シトラス香料０．６ｇ、茶抽出液酸化酵素処理物の１重量％／７０重量％エタノール水溶液０．１ｇを添加して成型、冷却後完成させた。得られたキャンディーは、習熟したパネルによる評価の結果、異味異臭がなく良好な風味が保持されていた。【００６４】
〔実施例３〕  （マーガリン）
ショートニング５５ｇ、コーン油１５ｇ、３０％ベータカロチン液０．１ｇ、レシチン０．２ｇ、乳化剤０．３ｇを混合し、湯煎にて８０℃、１０分間殺菌した。一方、水２７．９ｇ、食塩０．５ｇ、脱脂粉乳１ｇ、茶抽出液酸化酵素処理物の１重量％／７０重量％エタノール水溶液０．１ｇを混ぜ湯煎で８５℃まで加熱した。かくして得られたコーン油混合物と脱脂粉乳混合物とをそれぞれ５０〜６０℃まで冷却した後、混合し、氷水にて冷却しながらディスパーを用いて１，５００ｒｐｍにて５分間攪拌した。その後水にて冷却しながらゴムベラで全体をよく練ってから（１０℃まで冷却）、容器に移し一晩冷蔵庫で熟成させマーガリンを完成させた。得られたマーガリンは、習熟したパネルによる評価の結果、異味異臭がなくマーガリン本来の香味が保持されていた。【００６５】
〔実施例４〕  （口腔洗浄剤）
下記処方量で配合し、常法にて口腔洗浄剤を作製した。
エタノール                                              １５．００ｇ
グリセリン                                              １０．００ｇ
ポリオキシエチレン                                        ２．００ｇ
サッカリンナトリウム                                      ０．１５ｇ
安息香酸ナトリウム                                        ０．０５ｇ
香料                                                      ０．３０ｇ
リン酸水素二ナトリウム                                    ０．１０ｇ
着色剤                                                    ０．２０ｇ
茶抽出液酸化酵素処理物の１重量％／７０重量％エタノール水溶液   ０．１０ｇ
精製水                                                  ７２．１０ｇ【００６６】
〔実施例５〕  （アップルフレーバー）
以下に示す処方により常法にてアップルフレーバーを作製した。
ギ酸イソアミル              １００ｇ
酢酸イソアミル              １００ｇ
ヘキサン酸イソアミル          ６０ｇ
オクタン酸イソアミル          １０ｇ
ゲラニオール                  １０ｇ
エタノール                  ４３０ｇ
蒸留水                      ２９０ｇ
上記アップルフレーバー１００ｇに茶抽出液酸化酵素処理物の１重量％／７０重量％エタノール水溶液２．０ｇを添加し、本発明のアップルフレーバーを完成した。得られたアップルフレーバーは習熟したパネルによる評価の結果、異味異臭がなく、アップルフレーバーの香味が保持されていた。【００６７】
〔実施例６〕  （グレープフレーバー）
以下に示す処方により常法にてグレープフレーバーを作製した。
イソ吉草酸イソアミル                      １０ｇ
シンナミルアルコール                        ５ｇ
酢酸エチル                                ６０ｇ
酪酸エチル                                １５ｇ
３−メチル−３−フェニルグリシド酸エチル  １０ｇ
ヘプタン酸エチル                            ８ｇ
アントラニル酸メチル                    １３０ｇ
サリチル酸メチル                          １５ｇ
エタノール                              ３７３ｇ
蒸留水                                  ３７４ｇ
上記グレープフレーバー１００ｇに茶抽出液酸化酵素処理物の１重量％／７０重量％エタノール水溶液１．０ｇを添加し、本発明のグレープフレーバーを完成した。得られたグレープフレーバーは習熟したパネルによる評価の結果、異味異臭がなく、グレープフレーバーの香味が保持されていた。
【産業上の利用可能性】
【００６８】
本発明の茶抽出液酸化酵素処理物は少ない添加量で熱や光による香味、香気の劣化を抑制することができ、特にシトラールの劣化に対して顕著な抑制効果を有しているので、飲食品や化粧品等に幅広く利用可能である。
【図１】
2009011271.tif 000010
【図２】
2009011271.tif 000011
【図３】
2009011271.tif 000012
【図４】
2009011271.tif 000013
【図５】
2009011271.tif 000014
【手続補正書】
【提出日】平成22年1月14日(2010.1.14)
【手続補正１】
【補正対象書類名】明細書
【補正対象項目名】００１０
【補正方法】変更
【補正の内容】
【００１０】
【図１】抽出例１における茶抽出液酸化酵素処理物の紫外線吸収スペクトル。
【図２】抽出例２における紅茶抽出物の紫外線吸収スペクトル。
【図３】抽出例１における茶抽出液酸化酵素処理物のサイズ排除クロマトグラム。横軸は保持時間。縦軸は分子量。
【図４】抽出例２における紅茶抽出物のサイズ排除クロマトグラム。横軸は保持時間。縦軸は分子量。
【図５】標準液の較正曲線データ。横軸は保持時間。縦軸は分子量の対数値。
【手続補正２】
【補正対象書類名】明細書
【補正対象項目名】００３５
【補正方法】変更
【補正の内容】
【００３５】
〔試験例３〕 分子量分布測定
抽出例１の「茶抽出液酸化酵素処理物」および抽出例２の「紅茶抽出物」について、サイズ排除クロマトグラフィーにて分子量分布測定を行った。
「茶抽出液酸化酵素処理物」および「紅茶抽出物」のクロマトグラムをそれぞれ図３および図４に示す。また、分子量分布の測定結果を表２に示す。
測定機器と測定条件は以下のとおりである。
機器：Waters 2690
カラム：Asahipak GS−320＋620＋220（7.6mm i.d. ×10mm）＋（7.6mm i.d. ×500mm）×２
溶離液：蒸留水＋0.05％アジ化ナトリウム
流速：１mL／min
検出器：RI (Refractive Index) 検出器、PDA (Photo Diode Array) 検出器
注入量：100μＬ
カラム温度：40℃
分子量分布は下記の標準溶液を用いて作成した較正曲線（図５）から求めた。
標準液１：プルラン水溶液(プルランMW 800000、100000、20000、6000、ブドウ糖の各0.01％混合溶液) (Polymer Laboratories社製)
標準液２：ポリエチレングリコール水溶液(PEG MW 10000、4000、2000、600、ブドウ糖の各0.01％混合溶液) (Shodex社製) 
【手続補正３】
【補正対象書類名】明細書
【補正対象項目名】００５６
【補正方法】変更
【補正の内容】
【００５６】
【表７】
2009011271.tif 000015
【国際調査報告】
2009011271.tif 000016
2009011271.tif 000017
2009011271.tif 000018
2009011271.tif 000019